(57)【要約】【課題】工場製作できるようにして品質を高め、植物を保持する保護筋をブロック本体の補強筋に兼用させて、ブロック本体の強度を高めるとともに保護筋をブロック本体に強固に設ける。ブロック本体と保護筋を工場において一体に製造し、現場での施工を容易にする。【解決手段】ブロック本体２の表面側に、溝の長手方向が植物の登攀方向に沿った凹条部４を適宜間隔を有して複数並設して、該隣接する凹条部４間に突条部３を形成する。１本の保護筋５を、前記凹条部４の長手方向と直交する方向に配置するとともにその保護筋５の一部を凹条部４においてブロック本体２の表面との間に植物の登攀隙間Ｄ１を有するように露出させ、その他の部分を突条部３に貫通させて固設する。このような保護筋５を前記凹条部４の長手方向に適宜間隔を有して複数並設する。【選択図】図１
2005261287.tif 000002
【特許請求の範囲】
【請求項１】
プレキャストコンクリート製のブロック本体と金属製の線材で形成された保護筋とからなり、１本の保護筋を、適宜間隔を有して複数箇所においてブロック体の表面との間に植物の登攀隙間を有するように露出させ、その他の複数箇所をブロック本体内に埋設してブロック本体に固設し、このような保護筋をブロック本体の表面側に適宜間隔を有して複数本並設したことを特徴とするプレキャストコンクリート製緑化ブロック。
【請求項２】
プレキャストコンクリート製のブロック本体と金属製の線材で形成された保護筋とからなり、前記ブロック本体の表面側に、溝の長手方向が植物の登攀方向に沿った凹条部を適宜間隔を有して複数並設して、該隣接する凹条部間に突条部を形成し、１本の保護筋を、前記凹条部の長手方向と直交する方向に配置するとともにその保護筋の一部を凹条部においてブロック本体の表面との間に植物の登攀隙間を有するように露出させ、その他の部分を突条部に貫通させて固設し、このような保護筋を前記凹条部の長手方向に適宜間隔を有して複数並設したことを特徴とするプレキャストコンクリート製緑化ブロック。
【請求項３】
プレキャストコンクリート製のブロック本体と金属製の線材で形成された保護筋とからなり、１本の保護筋を、複数の山部と複数の谷部を有するトラス筋で形成して前記ブロック本体の表面側に、植物の登攀方向に沿って配置するとともにその山部をブロック本体の表面との間に植物の登攀隙間を有するように露出させ、谷部をブロック本体内に埋設して固設し、このような保護筋を植物の登攀方向と直交する方向に適宜間隔を有して複数並設し、更に、前記複数の保護筋における山部をトップ筋で連結したことを特徴とするプレキャストコンクリート製緑化ブロック。
【請求項４】
プレキャストコンクリート製のブロック本体と金属製の線材で形成された保護筋とからなり、１本の保護筋を、複数の矩形の山部と複数の矩形の谷部を形成し、該保護筋を前記ブロック本体の表面側に、植物の登攀方向と直交する方向に配置するとともに、その山部をブロック本体の表面との間に植物の登攀隙間を有するように露出させ、谷部をブロック本体内に埋設して固設し、このような保護筋を植物の登攀方向に適宜間隔を有して複数並設し、かつ、隣接する保護筋相互において、山部を千鳥状に配置したことを特徴とするプレキャストコンクリート製緑化ブロック。
【請求項５】
プレキャストコンクリート製のブロック本体と金属製の線材で形成された保護筋とからなり、１本の保護筋に複数の矩形の山部と複数の矩形の谷部を形成し、該保護筋を前記ブロック本体の表面側に、植物の登攀方向に対して略４５°の方向に配置するとともに、その山部をブロック本体の表面との間に植物の登攀隙間を有するように露出させ、谷部をブロック本体内に埋設して固設し、このような保護筋を、前記保護筋の配置方向と直交する方向に適宜間隔を有して複数並設したことを特徴とするプレキャストコンクリート製緑化ブロック。
【請求項６】
前記ブロック本体をポーラスコンクリートで成形した請求項１乃至５のいずれかに記載のプレキャストコンクリート製緑化ブロック。
【請求項７】
前記ポーラスコンクリート中に泥炭を塗り付けた請求項６記載のプレキャストコンクリート製緑化ブロック。
【発明の詳細な説明】
【技術分野】
【０００１】
本発明はプレキャストコンクリート製緑化ブロックに関する。
【背景技術】
【０００２】
従来、建築物の壁面や傾斜山地面（のり面）などの緑化法として蔓植物を登攀させることが行われている。
【０００３】
この緑化法に用いられる植物としては、気根を持つ吸着型蔓植物や巻き蔓が絡んで登っていく巻蔓型蔓植物、巻きヒゲが絡んで登っていく巻ヒゲ型蔓植物（以下蔓植物という）が多用されているが、これらの蔓植物は、登攀面が吸着しづらい素材であったり、絡まる部材が乏しい場合は、蔓が登攀面から剥離、落下しやすい問題がある。
【０００４】
そこで、この蔓植物による緑化方法として、起立面に登攀助材を添設するとともに該登攀助材の表面側に登攀隙間を保って網状保護材を設け、その登攀隙間に蔓植物を登攀させるものが知られている（例えば特許文献１参照）。
【特許文献１】特開平１１−８９４２０号公報
【発明の開示】
【発明が解決しようとする課題】
【０００５】
前記特許文献１の技術は、登攀助材と網状保護材を別々に形成して、その後に網状保護材を登攀助材に部分的に留め具にて固定している。そのため、網状保護材を登攀助材に付設する作業に手間を要し、特に現場施工においては工期上の問題がある。
【０００６】
そこで本発明は、蔓植物（以下単に植物ともいう）が根付くコンクリート板と、これに固設されて植物の剥離、落下を防止する保護筋を、プレキャストコンクリート製として工場で容易に製造できて現場施工を容易にし、かつ、その植物の剥離、落下を防止する保護筋がそのコンクリート板の補強筋を兼ねるとともにコンクリート板に強固に支持されるようにして、施工性、強度性、植物の保護性、品質性が高いプレキャストコンクリート製緑化ブロックを提供することを目的とするものである。
【課題を解決するための手段】
【０００７】
本発明は、プレキャストコンクリート製のブロック本体と金属製の線材で形成した保護筋とからなり、１本の保護筋を複数の部分において露出させて蔓植物の保護部とし、他の複数の部分をブロック本体に埋設してブロック本体の補助筋の機能をもたせることを最も主要な特徴とする。
【０００８】
そして、上記の目的を達成するために、請求項１記載の発明は、プレキャストコンクリート製のブロック本体と金属製の線材で形成された保護筋とからなり、１本の保護筋を、適宜間隔を有して複数箇所においてブロック体の表面との間に植物の登攀隙間を有するように露出させ、その他の複数箇所をブロック本体内に埋設してブロック本体に固設し、このような保護筋をブロック本体の表面側に適宜間隔を有して複数本並設したことを特徴とするものである。
【０００９】
請求項２記載の発明は、プレキャストコンクリート製のブロック本体と金属製の線材で形成された保護筋とからなり、前記ブロック本体の表面側に、溝の長手方向が植物の登攀方向に沿った凹条部を適宜間隔を有して複数並設して、該隣接する凹条部間に突条部を形成し、１本の保護筋を、前記凹条部の長手方向と直交する方向に配置するとともにその保護筋の一部を凹条部においてブロック本体の表面との間に植物の登攀隙間を有するように露出させ、その他の部分を突条部に貫通させて固設し、このような保護筋を前記凹条部の長手方向に適宜間隔を有して複数並設したことを特徴とするものである。
【００１０】
請求項３記載の発明は、プレキャストコンクリート製のブロック本体と金属製の線材で形成された保護筋とからなり、１本の保護筋を、複数の山部と複数の谷部を有するトラス筋で形成して前記ブロック本体の表面側に、植物の登攀方向に沿って配置するとともにその山部をブロック本体の表面との間に植物の登攀隙間を有するように露出させ、谷部をブロック本体内に埋設して固設し、このような保護筋を植物の登攀方向と直交する方向に適宜間隔を有して複数並設し、更に、前記複数の保護筋における山部をトップ筋で連結したことを特徴とするものである。
【００１１】
請求項４記載の発明は、プレキャストコンクリート製のブロック本体と金属製の線材で形成された保護筋とからなり、１本の保護筋を、複数の矩形の山部と複数の矩形の谷部を形成し、該保護筋を前記ブロック本体の表面側に、植物の登攀方向と直交する方向に配置するとともに、その山部をブロック本体の表面との間に植物の登攀隙間を有するように露出させ、谷部をブロック本体内に埋設して固設し、このような保護筋を植物の登攀方向に適宜間隔を有して複数並設し、かつ、隣接する保護筋相互において、山部を千鳥状に配置したことを特徴とするものである。
【００１２】
請求項５記載の発明は、プレキャストコンクリート製のブロック本体と金属製の線材で形成された保護筋とからなり、１本の保護筋に複数の矩形の山部と複数の矩形の谷部を形成し、該保護筋を前記ブロック本体の表面側に、植物の登攀方向に対して略４５°の方向に配置するとともに、その山部をブロック本体の表面との間に植物の登攀隙間を有するように露出させ、谷部をブロック本体内に埋設して固設し、このような保護筋を、前記保護筋の配置方向と直交する方向に適宜間隔を有して複数並設したことを特徴とするものである。
【００１３】
請求項６記載の発明は、請求項１乃至５のいずれかに記載の発明において、前記ブロック本体をポーラスコンクリートで成形したものである。
【００１４】
請求項７記載の発明は、請求項６記載の発明において、前記ポーラスコンクリート中に泥炭を塗り付けたものである。
【発明の効果】
【００１５】
本発明のプレキャストコンクリート製緑化ブロックは工場で製作できるため、品質を高めることができる。
【００１６】
更に、１本の保護筋において複数の植物保護部と複数のブロック本体埋設部を一連に形成し、そのブロック本体埋設部をブロック本体内に埋設したので、この保護筋がブロック本体の補助筋の機能を有し、ブロック本体の強度を高めるとともに保護筋も強固にブロック本体に設けることができる。
【００１７】
更に、ブロック本体と保護筋を工場において一体化されるため、従来のように、登攀助材と網状保護材を現場で組み付けるものに比べて、現場施工の容易化、品質向上化を図ることができる。
【００１８】
更に、ブロック本体が所定の大きさのプレキャストコンクリートで成形できるため、これを植生の範囲に設置することにより、植生の範囲を明確に区分でき、更に緑化ブロックとして一般に販売し、緑化の普及に寄与できる。
【００１９】
更に、請求項４記載のように、複数の保護筋を、その山部が千鳥状に配置されるように設けることにより、垂直に登攀する植物を、いずれかの山部で確実に保持することができ、植物の剥離、落下の防止を高めることができる。
【００２０】
更に、請求項５記載のように、保護筋を垂直方向に対して略４５°に配置することにより、垂直方向及び水平方向に登攀する植物を保持することができる。
更に、請求項６記載のように、ブロック本体をポーラスコンクリートとすることにより、付着根の吸着を強くすることができる。
【００２１】
更に、請求項７記載のように、ブロック本体をポーラスコンクリートとしてこれに泥炭を塗りつけることにより、植物の活着を助け、かつ、コンクリートのアルカリを弱めて植物に適するようにすることができる。
【発明を実施するための最良の形態】
【００２２】
本発明を実施するための最良の形態を図に示す実施例に基づいて説明する。
【実施例１】
【００２３】
図１は本発明の第１実施例のプレキャストコンクリート製緑化ブロック（以下緑化ブロックともいう）１を示すブロック単体の斜視図、図２はその一部の拡大側断面図、図３は使用状態の１例を示す側断面図である。
【００２４】
これらの図において、緑化ブロック１を構成するブロック本体２は工場製作されるプレキャストコンクリート製であり、その縦横の大きさは所望に設定されるものであるが、例えば１８０ｃｍ×９０ｃｍの平板状に成形する。このブロック本体２をコンクリート製とすることにより、このブロック本体２を付設する垂直面や傾斜面の強度を高めることができる。更に、このブロック本体２を発泡剤を使用して発泡成形したポーラスコンクリートとすると良い。更に、このようにポーラスコンクリート中に泥炭などを塗り付けてもよい。
【００２５】
前記ブロック本体２の表面側、すなわち前記の蔓植物を登攀させる側の面には突条部３が複数本並設され、この隣接する突条部３，３間に植物が登攀する凹条部４が表面側を開口し、かつ、その溝の長手方向を植物の登攀方向に沿って形成され、かつ、その凹条部４の長手方向の両端４ａ，４ｂはブロック本体２の側面側に開口している。該凹条部は複数並設されている。
【００２６】
前記凹条部４には、その底面４ｃ（ブロック本体の表面）との間に登攀隙間Ｄ１を有し、かつ、前記突条部３に貫通する金属製の線材からなる保護筋５が、凹条部４の長手方向と直交する方向に配置されている。前記登攀隙間Ｄ１は、底面４ｃと保護筋５間を通じて植物が通過し、登攀できる寸法に形成されている。更に、前記保護筋５は、１本の保護筋がブロック本体２の中間部において形成された複数の突出部３ａを貫通し、両端が両側の突出部３ｂ，３ｂに埋設されている。更に、保護筋５は、凹条部４の長手方向において所定の間隔Ｌ１を有して複数本並列的に設けられている。
【００２７】
なお、図示されていないが、ブロック本体２内には、前記の保護筋４とは別に鉄筋が配筋されている。
【００２８】
以上の構成により、１本の保護筋５が並設された各凹条部４において部分的に露出し、並設された各突条部３において部分的に埋設されるため、この保護筋５のブロック本体２への固定が強固になり、かつ、ブロック本体２も保護筋５が補強筋となって強度が大きくなる。
【００２９】
本第１実施例の緑化ブロック１を使用して緑化する方法について説明する。
図３に示すように、例えば建築物の壁面６に前記の緑化ブロック１を、その突条部３と凹条部４の長手方向が上下方向に向くようにして配置し、該緑化ブロック１を壁面６にモルタルやビスなどの適宜固着手段で固着する。この緑化ブロック１は所定の大きさに形成されているため、壁面６において、その上下方向及び左右方向に緑化ブロック１を所望数、相互に連接状態で配置固定する。
【００３０】
この状態で、壁面６の下部近傍の地面に前記の植物を植える。この植物７が生育してその蔓部が延びると、その蔓部７ａの付着根７ｂがブロック本体２に侵入して付着するとともに蔓部７ａの一部が凹条部４における底面４ｃと保護筋５との登攀隙間Ｄ１内を通って登攀する。このように、蔓部７ａが登攀隙間Ｄ１内を通過することにより、風圧を受けた場合でも蔓部７ａが露出した保護筋５と突条部３により動きが抑制され、植物７の緑化ブロック１からの剥離や落下が防止される。
【００３１】
更に、１本の保護筋において複数の植物保護部と複数のブロック本体埋設部を一連に形成し、そのブロック本体埋設部をブロック本体内に埋設したので、この保護筋がブロック本体の補助筋の機能を有し、ブロック本体の強度を高めるとともに保護筋も強固にブロック本体に設けることができる。
【００３２】
また、ブロック本体１をポーラスコンクリートで成形することにより、植物７の付着根７ｂがブロック本体２内に侵入しやすく、付着力が高まり、植物７の離脱、落下が一層防止される。
【００３３】
また、壁面６はコンクリート製のブロック本体１で被覆されるため、壁面６の強度を向上させることができる。
【００３４】
前記の実施例は緑化ブロック１を建物の壁面６に付設する例を示したが、本発明の緑化ブロック１は、傾斜地山面など、緑化を必要とする垂直面や傾斜面に付設して緑化を図ることができ、更に、これらの垂直面や傾斜面の強度を高め、傾斜地山面の保護を図ることができる。
【００３５】
更に、緑化ブロック１は工場製作のプレキャストコンクリートであるため、品質を高めることができ、更に所定の大きさのブロックであるため、植生の範囲を明確に区分することが容易である上に、ブロック状として一般に販売し、緑化の普及に寄与できる。
【００３６】
更に、保護筋５は工場製作時にブロック本体２に一体的に設けられているため、施工現場ではブロック本体２を壁面６などに固着する作業のみで保護筋５の固定作業は必要とせず、現場施工が容易になる。
【００３７】
更に、ブロック本体２をポーラスコンクリートで成形し、これに泥炭などを塗り付けることにより、植物の活性を助けたり、コンクリートのアルカリを弱めて植物に適するようにすることができる。
【００３８】
更に、ブロック本体２の骨材として緑色など所望の色のものを使用することにより、植物の一部が枯れた場合にも景観を損ねることがない。
【実施例２】
【００３９】
図４は本発明の第２実施例のプレキャストコンクリート製緑化ブロックを示すブロック単体の斜視図、図５はその一部の拡大側断面図、図６は使用状態の１例を示す斜視図である。
【００４０】
これらの図において、緑化ブロック１１を構成するブロック本体１２は工場製作されるプレキャストコンクリート製であり、その縦横の大きさは所望に設定されるものであるが、例えば１８０ｃｍ×９０ｃｍの平板状に成形する。また、該ブロック本体１２も前記と同様にポーラスコンクリートとするとよい。
【００４１】
前記ブロック本体１２には、山部１３ａと谷部１３ｂとをノコギリ刃状に連続形成したトラス筋からなる保護筋１３が、その谷部１３ｂをブロック本体１２内に埋設固定し、山部１３ａをブロック本体１２の表面１２ｃ側へ突出させて設けられている。この山部１３ａとブロック本体１２の表面１２ｃとの間には登攀隙間Ｄ２が形成されている。また、この保護筋１３は、ブロック本体１２の使用時に上側となる端部１２ａと下側になる端部１２ｂとの間にわたる長さの１本の金属製の線材で形成され、その１本の保護筋１３の複数の山部１３ａがブロック本体１２より突出し、他の複数の谷部１３ｂがブロック本体１２内に埋設されてブロック本体１２に固着されている。
【００４２】
また、前記保護筋１３は、ブロック本体１２の横方向（図４の左右方向）において複数本所定の間隔Ｌ２を有して並設されている。
更に、前記の並設した全ての保護筋１３における隣接する山部１３ａにわたって１本のトップ筋からなる保護筋１４が架設されて溶接固定されている。
【００４３】
なお、ブロック本体１１に前記のように泥炭を塗り付けたり、ブロック本体１１内に保護筋１３，１４とは別の配筋をしてもよい。更に、ブロック本体１１の骨材に前記のような色の骨材を使用してもよい。
【００４４】
本第２実施例の緑化ブロック１１を前記第１実施例と同様に壁面等に固着し、該緑化ブロック１１の表面側１２ｃ側に前記の植物７を登攀させると、その蔓部７ａは図６に示すように付着根７ｂがブロック本体１２に侵入して付着するとともに上方へ生長する蔓部７ａが保護筋１４とブロック本体１２の表面１２ｃとの登攀隙間Ｄ２を通過し、横方向へ生長する蔓部７ａが保護筋１３における山部１３ａ内の登攀隙間Ｄ２を通過する。したがって、風圧により植物７が緑化ブロック１１から剥離、落下することが抑制される。
【００４５】
更に、本第２実施例の緑化ブロック１１においても前記第１実施例の緑化ブロック１と同様の効果が得られる。
【実施例３】
【００４６】
図７は本発明の第３実施例のプレキャストコンクリート製緑化ブロックを示すブロック単体の斜視図、図８はその表面図、図９はその一部の拡大側断面図、図１０は使用状態の１例を示す斜視図である。
【００４７】
これらの図において、緑化ブロック２１はブロック本体２２と保護筋２３とからなる。ブロック本体２２は前記第２実施例のブロック本体１２と同様である。
【００４８】
保護筋２３は、１本の金属製の線材を矩形の山部２３ａと矩形の谷部２３ｂに折曲して形成されており、その複数の山部２３ａをブロック本体２２の表面２２ｃより突出して露出させ、複数の谷部２３ｂをブロック本体２２内に埋設して固設されている。そして、山部２３ａの上筋とブロック本体２２の表面２２ｃとの間には所定の登攀隙間Ｄ３が形成されている。更に、該保護筋２３は、ブロック本体２２の使用時に上側となる端面２２ａと下側の端面２２ｂに平行する方向に、すなわち植物７の蔓部７ａが登攀する垂直方向と直交する水平方向に配置されている。更に、該保護筋２３は、前記垂直方向において所定の間隔Ｌ３を有して複数配置されているとともに、その上下に隣接する山部２３ａ，２３ａ相互が千鳥状に配置され、１つの保護筋２３の山部２３ａに対して、その上側及び下側の他の保護筋２３の谷部２３ｂが位置するように配置されている。
【００４９】
本第３実施例の緑化ブロック２１を前記と同様に壁等に固着し、該緑化ブロック２１の表面２２ｃ側に植物７を登攀させると、その蔓部７ａは図１０に示すように、付着根７ｂがブロック本体２２に侵入して付着するとともに上方へ生長する蔓部７ａが保護筋２３の山部２３ａとブロック本体２２の表面２２ｃとの登攀隙間Ｄ３を通過する。したがって、前記と同様に、風圧により植物７が緑化ブロック２２から剥離、落下することが抑制される。更に、複数の保護筋２３を、その山部２３ａが千鳥状に配置されるように設けたので、垂直に登攀する植物を、いずれかの山部２３ａで確実に保持でき、植物の剥離、落下の防止を高めることができる。
【００５０】
更に、本第３実施例の緑化ブロック２１においても前記第１実施例の緑化ブロック１と同様の効果が得られる。
【実施例４】
【００５１】
図１１は本発明の第４実施例のプレキャストコンクリート製緑化ブロックを示すブロック単体の斜視図、図１２はその表面図、図１３は使用状態を示す一部の表面図である。
【００５２】
これらの図において、緑化ブロック３１はブロック本体３２と保護筋３３とからなる。
ブロック本体３２は前記第２実施例のブロック本体２２と同様である。
【００５３】
本第４実施例は、前記第３実施例における保護筋２３と同様の山部３３ａと谷部３３ｂを形成した保護筋３３を用い、これを、ブロック本体３２の使用時における垂直方向に対して略４５°傾斜させて配置したものである。また、複数の保護筋３３が略４５°傾斜して相互に並行して配置されている。更に、これらの保護筋３３は、前記第３実施例と同様に、その複数の山部３３ａをブロック本体３２の表面３３ｃより突出して露出させ、複数の谷部３３ｂをブロック本体３２内に埋設している。
【００５４】
本第４実施例の緑化ブロック３１を前記第１実施例と同様に壁面等に固着し、該緑化ブロック３１の表面側に前記の植物７を登攀させると、図１３に示すように上方に登攀する蔓７ａは保護筋３３の山部３３ａの登攀隙間Ｄ４を通過し、また横斜め方向に登攀する蔓部７ｃも保護筋３３の山部２３ａの登攀隙間Ｄ４を通過する。
【００５５】
したがって、前記実施例と同様に、風圧により植物７が緑化ブロック３１から剥離、落下することが抑制される。
更に本第４実施例の緑化ブロック３１においても前記第１実施例と同様の効果が得られる。
【図面の簡単な説明】
【００５６】
【図１】本発明の第１実施例を示す緑化ブロック単体の斜視図。
【図２】図１における一部の拡大側断面図。
【図３】図１の緑化ブロックの使用状態を示す側断面図。
【図４】本発明の第２実施例を示す緑化ブロック単体の斜視図。
【図５】図４における一部の拡大側断面図。
【図６】図４の緑化ブロックの使用状態を示す斜視図。
【図７】本発明の第３実施例を示す緑化ブロック単体の斜視図。
【図８】図７の表面図。
【図９】図７における一部の拡大側断面図。
【図１０】図７の緑化ブロックの使用状態を示す斜視図。
【図１１】本発明の第４実施例を示す緑化ブロック単体の斜視図。
【図１２】図１１の表面図。
【図１３】図１１の緑化ブロックの使用状態を示す表面図。
【符号の説明】
【００５７】
１，１１，２１，３１  緑化ブロック
２，１２，２２，３２  ブロック本体
３  突条部
４  凹状部
５  保護筋
６  壁面
１３  保護筋であるトラス筋
１４  保護筋であるトップ筋
２３，３３  保護筋
１３ａ，２３ａ，３３ａ  山部
１３ｂ，２３ｂ，３３ｂ  谷部
Ｄ１〜Ｄ４  登攀隙間
【図１】
2005261287.tif 000003
【図２】
2005261287.tif 000004
【図３】
2005261287.tif 000005
【図４】
2005261287.tif 000006
【図５】
2005261287.tif 000007
【図６】
2005261287.tif 000008
【図７】
2005261287.tif 000009
【図８】
2005261287.tif 000010
【図９】
2005261287.tif 000011
【図１０】
2005261287.tif 000012
【図１１】
2005261287.tif 000013
【図１２】
2005261287.tif 000014
【図１３】
2005261287.tif 000015